(57)【特許請求の範囲】
【請求項１】
温水パイプ、電熱ヒータ等の発熱体を基板に埋設すると共に床仕上げ材固定用の小根太を前記基板に部分的に設け、前記基板や前記小根太の上面に全面に亙るように均熱シートを貼り、前記均熱シートの上に床仕上げ材を敷設して床仕上げ材を前記小根太に固定した床暖房装置であって、前記小根太間の部分の位置と対応する部分で前記均熱シートの上面に接着剤が接着しない非接着層を設けたことを特徴とする床暖房装置。
【請求項２】
温水パイプ、電熱ヒータ等の発熱体を基板に埋設すると共に床仕上げ材固定用の小根太を前記基板に部分的に設け、前記基板や前記小根太の上面に全面に亙るように均熱シートを貼り、前記均熱シートの上に床仕上げ材を敷設して床仕上げ材を前記小根太に固定した床暖房装置であって、前記小根太の周縁に対応する部分で前記均熱シートに切り目を設けたことを特徴とする床暖房装置。
【請求項３】
温水パイプ、電熱ヒータ等の発熱体を基板に埋設すると共に床仕上げ材固定用の小根太を前記基板に部分的に設け、前記基板や前記小根太の上面に全面に亙るように均熱シートを貼り、前記均熱シートの上に床仕上げ材を敷設して床仕上げ材を前記小根太に固定した床暖房装置であって、前記小根太間の部分の位置と対応する部分で前記均熱シートの上面に接着剤が接着しない非接着層を設けると共に前記小根太の周縁に対応する部分で前記均熱シートに切り目を設けたことを特徴とする床暖房装置。
【請求項４】
前記切り目は均熱シートに予め入れたミシン目であることを特徴とする請求項２または請求項３記載の床暖房装置。
【請求項５】
均熱シートの前記小根太に対応する部分と前記小根太に対応しない部分との上面の色を違えて成ることを特徴とする請求項１乃至請求項４のいずれかに記載の床暖房装置。
【発明の詳細な説明】
【０００１】
【発明の属する技術分野】
本発明は、根太又は他の下地に合板等を捨て貼りした床下地の上に敷設して施工される床暖房装置の構造に関するものである。
【０００２】
【従来の技術】
この種の床暖房装置は、根太又は他の下地に合板等を捨て貼りした床下地１の上に図４に示すように床暖房パネルＡを敷設し、床暖房パネルＡの上面に床仕上げ材２を貼って施工される。床暖房パネルＡは発泡スチレン等の発泡樹脂の基板３に温水パイプ４ａ、電熱ヒータ等の発熱体４を埋設し、床仕上げ材２を固定するための木材等の小根太５を基板３に部分的に設け、基板３や小根太５の上面にアルミニウム箔等の均熱シート６を貼ってある。上記床暖房パネルＡは薄型にするために基板３の厚さと小根太５の厚さを同じにしてあり、基板３に小根太５を上下に貫通するように埋設してある。実際の製造では基板３の適宜形状のピース材と小根太５とをジグソーパズル状に組み合わせ、例えば、これらに貼り合わされた均熱シート６を介することによって一体的に組み合わせられている。
【０００３】
床仕上げ材２は木質材、ウッドプラスチック、繊維板等にて形成されており、床仕上げ材２を均熱シート６の上に並べて床仕上げ材２を小根太５に固定してある。複数枚の床仕上げ材２を貼るとき、隣り合う床仕上げ材２は雌実７と雄実８とを嵌合することで接合される。床仕上げ材２を固定する場合、均熱シート６の小根太５に対応する部分の上面に図５（ａ）に示すように接着剤９が塗布ガンＧ等で塗布され、図５（ｂ）に示すように雌実７の下の取り付け片７ａや雄実８の根元から釘等の固着具１０を小根太５に打入して床仕上げ材２が固定される。
【０００４】
上記のように床暖房装置が施工されるが、床仕上げ材２が部分的に破損したとき修繕を行う場合、例えば次のように行われる。床仕上げ材２の雌実７と雄実８の部分を残すように床仕上げ材２の周縁を丸鋸や鑿等で切断し、切断した切断ピース１１を図６（ａ）のように取り外し、次いで図６（ｂ）に示すように雌実７や雄実８等の実部分を取り外し、次に新しい床仕上げ材２を図６（ｃ）のように嵌め込んで取り付ける。またリフォームしたりする場合も床仕上げ材２だけを取り外して床仕上げ材２だけを交換することが行われる。
【０００５】
【発明が解決しようとする課題】
ところで、上記従来例では床仕上げ材２を固定するとき均熱シート６の小根太５に対応する上面に接着剤９を塗布して接着しているが、接着剤９を塗布し過ぎたりした場合、床仕上げ材２を貼ったときに接着剤９が均熱シート６の小根太５の上の部分（以下便宜上、均熱シート６の小根太部分６ａという）から溢れ、均熱シート６の小根太５と対応しない部分（以下便宜上、均熱シート６の放熱部分６ｂという）まで接着剤９が付着し、均熱シート６の放熱部分６ｂでも床仕上げ材２と均熱シート６とが接着されてしまう虞れがある。このため上記のように修繕や、リフォームを行うために床仕上げ材２を剥がしたとき床仕上げ材２と一緒に均熱シート６の放熱部分６ｂも剥がれて図７（ａ）のようになるという問題があり、図７（ｂ）のように修繕する必要があり、均熱シート６の修繕に手間がかかり施工性が悪いという問題がある。図７でａは床仕上げ材２を更新する更新部であり、ｂは均熱シート６が床仕上げ材２と一緒にめくれた部分であり、ｃは修繕用の均熱シートを貼り合わせた部分である。
【０００６】
また上記のように接着剤９が均熱シート６の小根太部分６ａまで溢れない場合や接着剤９の代わりに粘着剤で粘着した場合でも均熱シート６の小根太部分６ａと放熱部分６ｂが一体に繋がっているために床仕上げ材２を剥がしたときに小根太部分６ａが剥がれると放熱部分６ｂもそれと一緒に剥がれるおそれがある。
【０００７】
本発明は叙述の点に鑑みてなされたものであって、床仕上げ材の修繕やリフォームをするときに均熱シートの小根太部分以外の部分が剥離しなくて施工性を向上できる床暖房装置を提供することを課題とする。
【０００８】
【課題を解決するための手段】
上記課題を解決するため本発明の床暖房装置は、温水パイプ４ａ、電熱ヒータ等の発熱体４を基板３に埋設すると共に床仕上げ材固定用の小根太５を前記基板３に部分的に設け、前記基板３や前記小根太５の上面に全面に亙るように均熱シート６を貼り、前記均熱シート６の上に床仕上げ材２を敷設して床仕上げ材２を前記小根太５に固定した床暖房装置であって、前記小根太５間の部分の位置と対応する部分で前記均熱シート６の上面に接着剤９が接着しない非接着層１２を設けたことを特徴とする。
【０００９】
上記のように小根太５間の部分の位置と対応する部分で前記均熱シート６の上面に接着剤９が接着しない非接着層１２を設けたことにより、均熱シート６の小根太部分６ａに塗布した接着剤９が均熱シート６の放熱部分６ｂに溢れても非接着層１２にて均熱シート６と床仕上げ材２とが接着することがない。従って、床仕上げ材２を剥がしても床仕上げ材２と一緒に均熱シート６の放熱部分６ｂが剥がれることがなく、均熱シート６の修繕を要せず床仕上げ材２の修繕やリフォームの施工性を向上できる。
【００１０】
また温水パイプ４ａ、電熱ヒータ等の発熱体４を基板３に埋設すると共に床仕上げ材固定用の小根太５を前記基板３に部分的に設け、前記基板３や前記小根太５の上面に全面に亙るように均熱シート６を貼り、前記均熱シート６の上に床仕上げ材２を敷設して床仕上げ材２を前記小根太５に固定した床暖房装置であって、前記小根太５の周縁に対応する部分で前記均熱シート６に切り目１３を設けたことを特徴とすることも好ましい。
【００１１】
上記のように小根太５の周縁に対応する部分で前記均熱シート６に切り目１３を設けたことにより、床仕上げ材２を剥がすときに床仕上げ材２と一緒に均熱シート６の小根太部分６ａが剥がれても、切り目１２にて均熱シート６の小根太部分６ａと放熱部分６ｂの縁が切れて放熱部分６ｂまで剥がれることがなく、均熱シート６の修繕を要せず床仕上げ材２の修繕やリフォームの施工性を向上できる。
【００１２】
また温水パイプ４ａ、電熱ヒータ等の発熱体４を基板３に埋設すると共に床仕上げ材固定用の小根太５を前記基板３に部分的に設け、前記基板３や前記小根太５の上面に全面に亙るように均熱シート６を貼り、前記均熱シート６の上に床仕上げ材２を敷設して床仕上げ材２を前記小根太５に固定した床暖房装置であって、前記小根太５間の部分の位置と対応する部分で前記均熱シート６の上面に接着剤が接着しない非接着層１２を設けると共に前記小根太５の周縁に対応する部分で前記均熱シート６に切り目１３を設けたことを特徴とすることも好ましい。
【００１３】
上記のように小根太５間の部分の位置と対応する部分で前記均熱シート６の上面に接着剤９が接着しない非接着層１２を設けたことにより、非接着層１２にて均熱シート６の放熱部分６ｂと床仕上げ材２とが接着することがなく、しかも小根太５の周縁に対応する部分で前記均熱シート６に切り目１３を設けたことにより、切り目１２にて均熱シート６の小根太部分６ａと放熱部分６ｂの縁が切れ、従って床仕上げ材２を剥がすときに放熱部分６ｂまで剥がれるのを一層確実に防止できる。
【００１４】
また前記切り目１３は均熱シート６に予め入れたミシン目１３ａであることを特徴とすることも好ましい。このように切り目１３がミシン目であると、均熱シート６の小根太部分６ａと放熱部分６ｂとを容易に分離できるものであっても輸送時や施工時には均熱シート６の小根太部分６ａと放熱部分６ｂとが繋がっており、基板３、小根太３、発熱体４及び均熱シート６で構成される床暖房パネルＡが保形されて取り扱いが容易にできる。
【００１５】
また均熱シート６の前記小根太５に対応する部分と前記小根太５に対応しない部分との上面の色を違えて成ることを特徴とすることも好ましい。このようにしてあると、均熱シート６の小根太部分６ａと放熱部分６ｂとを明確に識別できて均熱シート６を基板３や小根太５の上に貼るとき位置を正確に合わせて貼ることができると共に均熱シート６の上に床仕上げ材２を貼るときの小根太５の位置が明確にわかって施工性を向上できる。
【００１６】
【発明の実施の形態】
本発明の床暖房装置も従来例と同様に根太又は他の下地に合板等を捨て貼りした床下地１の上に床暖房パネルＡを敷設し、床暖房パネルＡの上面に床仕上げ材２を貼って施工される。床暖房パネルＡは発泡スチレン等の発泡樹脂の基板３に温水パイプ４ａ、電熱ヒータ等の発熱体４を埋設し、床仕上げ材２を固定するための木材等の小根太５を基板３に部分的に設け、基板３や小根太５の上面にアルミニウム箔等の均熱シート６を貼ってある。
【００１７】
上記アルミニウム箔等の均熱シート６を基板３や小根太５の上に貼るとき図１の例では３分割して貼ってある。勿論、１枚物の均熱シート６を貼ってもよい。この均熱シート６には小根太５に対応する小根太部分６ａと小根太５以外の部分と対応する放熱部分６ｂがあるが、放熱部分６ｂの上面には接着剤９が接着しない非接着層１２を設けてある。均熱シート６の上面に酸化防止する塗料を全面に亙って塗布することで酸化防止膜１４を形成してあり、均熱シート６の放熱部分６ｂには酸化防止膜１４の上から非接着性の樹脂を塗布して非接着層１２を設けてある。非接着層１２を形成する非接着性の樹脂としては例えばポリエチレンイミンオクタデクルカルバメイトや、オクタデシルイソシアネートとポリビニルアルコールとの反応物等がある。かかる非接着層１２は上記樹脂を塗布する代わりに離型紙を貼ったりして形成してもよい。
【００１８】
上記のように構成された床暖房パネルＡの上に床仕上げ材２を貼るときには、均熱シート６の小根太部分６ａの上面に接着剤９を塗布して床仕上げ材２を接着すると共に釘のような固着具１０を床仕上げ材２から小根太５に打入して固定されるが、このとき接着剤９が溢れて均熱シート６の放熱部分６ａまで回り込んでも均熱シート６の放熱部分６ａと床仕上げ材２とが接着されることがない。このために修繕やリフォームのため床仕上げ材２を剥がしても床仕上げ材２と一緒に均熱シート６の放熱部分６ｂが剥がれるのを防止できる。
【００１９】
また上記床暖房パネルＡで均熱シート６を基板３や小根太５の上に貼ったとき、小根太５の周縁に沿って、すなわち均熱シート６の小根太部分６ａの周縁に沿ってカッターナイフ１５等にて図２に示すように切り目１３を形成することも望ましい。このように均熱シート６の小根太部分６ａの周縁に沿って切り目１３を入れるのは上記のように放熱部分６ｂに非接着層１２を設けたものでも非接着層１２を設けないものでもよい。上記のように均熱シート６に切り目１３を入れてあると、床仕上げ材２を剥がすときに床仕上げ材２と一緒に均熱シート６の小根太部分６ａが剥がれても、切り目１３にて均熱シート６の小根太部分６ａと放熱部分６ｂの縁が切れて放熱部分６ｂまで剥がれることがない。この際に、均熱シート６の放熱部分６ｂに非接着層１２を設けてあると、非接着層１２にて均熱シート６の放熱部分６ａと床仕上げ材２とが接着することがなく、床仕上げ材２を剥がすときに放熱部分６ｂまで剥がれるのを一層確実に防止できる。
【００２０】
上記例では均熱シート６の小根太部分６ａの周縁に全周に亙るようにカッターナイフ１５等で切り目１３を設けたが、この切り目１３は図３に示すように予め設けられたミシン目１３ａでもよい。切り目１３がミシン目１３ａであっても床仕上げ材２を取り外すとき容易に均熱シート６の小根太部分６ａと放熱部分６ｂとの縁が切れる。また切り目１３がミシン目１３ａであると、均熱シート６を基板３や小根太５の上に貼った状態で均熱シート６の小根太部分６ａと放熱部分６ｂとが繋がっており、床暖房パネルＡを輸送したり床暖房パネルＡを施工したりするとき床暖房パネルＡが均熱シート６にて保形されて取り扱いが容易になる。
【００２１】
また上記非接着層１２はポリエチレンイミンオクタデクルカルバメイトや、オクタデシルイソシアネートとポリビニルアルコールとの反応物等の樹脂にて形成されるが、この樹脂は透明のために着色剤を入れて着色することも望ましいしい。このように着色すると、均熱シート６の小根太部分６ａと放熱部分６ｂの色を違えることができて小根太部分６ａと放熱部分６ｂとを明確に識別できて均熱シート６を基板３や小根太５の上に貼るとき位置を正確に合わせて貼ることができると共に均熱シート６の上に床仕上げ材２を貼るときの小根太５の位置が明確にわかって施工性を向上できる。このとき酸化防止膜１４にも非接着層１２と異なる色の着色剤を入れて着色してもよい。
【００２２】
【発明の効果】
本発明の請求項１の発明は、小根太間の部分の位置と対応する部分で均熱シートの上面に接着剤が接着しない非接着層を設けたので、均熱シートの小根太部分に塗布した接着剤が均熱シートの放熱部分に溢れても非接着層にて均熱シートと床仕上げ材とが接着することがないものであって、床仕上げ材を剥がしても床仕上げ材と一緒に均熱シートの放熱部分が剥がれることがなく、均熱シートの修繕を要せず床仕上げ材の修繕やリフォームの施工性を向上できるものである。
【００２３】
また本発明の請求項２の発明は、小根太の周縁に対応する部分で均熱シートに切り目を設けたので、床仕上げ材を剥がすときに床仕上げ材と一緒に均熱シートの小根太部分が剥がれても、切り目にて均熱シートの小根太部分と放熱部分の縁が切れて放熱部分まで剥がれることがなく、均熱シートの修繕を要せず床仕上げ材の修繕やリフォームの施工性を向上できるものである。
【００２４】
また本発明の請求項３の発明は、小根太間の部分の位置と対応する部分で均熱シートの上面に接着剤が接着しない非接着層を設けたので、非接着層にて均熱シートの放熱部分と床仕上げ材とが接着することがなく、しかも小根太の周縁に対応する部分で前記均熱シートに切り目を設けたので、切り目にて均熱シートの小根太部分と放熱部分の縁が切れ、従って床仕上げ材を剥がすときに放熱部分で剥がれるのを一層確実に防止でき、一層床仕上げ材の修繕やリフォームの施工性を向上できるものである。
【００２５】
また本発明の請求項４の発明は、請求項２または請求項３において、切り目は均熱シートに予め入れたミシン目であるので、均熱シートの小根太部分と放熱部分とを容易に分離できるものであっても輸送時や施工時には均熱シートの小根太部分と放熱部分とが繋がっており、基板、小根太、発熱体及び均熱シートで構成される床暖房パネルが保形されて取り扱いが容易にできるものである。
【００２６】
また本発明の請求項５の発明は、請求項１乃至請求項４のいずれかにおいて、均熱シートの小根太に対応する部分と小根太に対応しない部分との上面の色を違えているので、均熱シートの小根太部分と放熱部分とを明確に識別できて均熱シートを基板や小根太の上に貼るとき位置を正確に合わせて貼ることができると共に均熱シートの上に床仕上げ材を貼るときの小根太の位置が明確にわかって施工性を向上できるものである。
【図面の簡単な説明】
【図１】本発明の実施の形態の一例を示し、（ａ）は床暖房パネルの分解斜視図、（ｂ）は同上の要部の分解断面図である。
【図２】同上の他の例の切り目を入りる状態の斜視図である。
【図３】同上の他の例の切り目がミシン目である場合の斜視図である。
【図４】床暖房装置を説明する図であって、（ａ）は断面図、（ｂ）は床暖房パネルの均熱シートを省略した平面図である。
【図５】（ａ）は床仕上げ材を貼るとき接着剤を塗布する状態を示す斜視図、（ｂ）は床仕上げ材を固定した状態を示す斜視図である。
【図６】床仕上げ材を修繕する状態を説明するもので、（ａ）（ｂ）（ｃ）は各工程を示す断面図である。
【図７】（ａ）は床仕上げ材を剥がしたとき均熱シートの放熱部分もめくれあがった状態を説明する平面図、（ｂ）は均熱シートを修繕する状態を示す平面図である。
【符号の説明】
Ａ  床暖房パネル
２  床仕上げ材
３  基板
４  発熱体
５  小根太
６  均熱シート
【図１】
0004287602.tif 000002
【図２】
0004287602.tif 000003
【図３】
0004287602.tif 000004
【図４】
0004287602.tif 000005
【図５】
0004287602.tif 000006
【図６】
0004287602.tif 000007
【図７】
0004287602.tif 000008